(57)【要約】【課題】筐体の側方からの不正な穴開けなどを困難にして、メダルの不正な払い出しやピッキング等の不正行為を効果的に防止することができる遊技機を提供する。【解決手段】前扉３が閉塞されるキャビネット２の開口端の周囲でその後方側にかけて露出する側板２ｂの部分に、相互に接合させた外プレート１１１及び内プレート１０１からなる板金プレート枠１００を設ける。かかる２重壁構造の遮蔽手段により、ドリルを用いた側方からの穴開け行為を困難にし、不正なメダルの払い出し操作やピッキングなどの不正行為を効果的に防止する。また、板金プレート枠によりキャビネットの開口部分の剛性を高めて、隙間からのこじ開け等の不正行為をも防止する。【選択図】図３
2008237348.tif 000002
【特許請求の範囲】
【請求項１】
前方側に開口を有する矩形状のキャビネットと、該キャビネットに対し開閉可能であり前記開口を閉塞する位置に施錠される前扉とを備えた遊技機であって、
前記前扉と接する前記キャビネットの開口端から後方側にかけて板金部材からなる所定幅の遮蔽手段を設けたことを特徴とする遊技機。
【請求項２】
前記遮蔽手段は、前記キャビネットの本体枠の外側面に対し同一面上に固定される外プレート部材と、該外プレート部材に対し当該本体枠の厚み相当だけ間隔をおいて互いに対向する内プレート部材とを備えてなり、
前記外プレート部材及び前記内プレート部材の相互の面が重なり合って接合する肉厚の接合部を有していることを特徴とする請求項１に記載の遊技機。
【請求項３】
前記接合部は、前記開口端において前記外プレート部材又は前記内プレート部材の何れか一方の先端部分が折り返されて他方に重なることで形成されていることを特徴とする請求項２に記載の遊技機。
【請求項４】
前記遮蔽手段の所定幅は、当該遊技機が設置される島設置台から前方に露出する幅よりも大きいことを特徴とする請求項１〜３の何れか１項に記載の遊技機。
【発明の詳細な説明】
【技術分野】
【０００１】
本発明は、遊技に使用する例えばメダル等の遊技媒体を払い出す遊技媒体払出装置等を筐体内部に収容する遊技機に関し、特に、遊技媒体を不正に取得するような外部からの不正操作を防止する対策が講じられた遊技機に関する。
【背景技術】
【０００２】
従来、遊技店舗に数多く設置される遊技機としてスロットマシンが知られている。一般的なスロットマシンは、遊技者が遊技媒体としてのメダルを投入することでゲームが開始し、回転するリールを遊技者がタイミングを見ながら停止操作して所定の図柄をラインに揃えることにより入賞が成立する。入賞が成立すると、遊技媒体払出装置であるメダル払出装置（ホッパー装置）が作動して、当該入賞の種類に応じた枚数のメダルが払い出される。
【０００３】
かかるスロットマシンにおいては、筐体内に設けられる主制御基板といわれるマイコンベースの制御基板が入賞の内部的な抽選やメダルの払い出し等の制御を行うため、これら主制御基板やメダル払出装置等は、メダルを不正に取得しようとする不正行為者による不正操作の対象とされていた。
【０００４】
従来のスロットマシンの筐体は、箱状のキャビネットの開口に前扉が閉塞して施錠されており、更に主制御基板については、従来カシメと呼ばれる特殊な封止構造のケース内に収容されてキャビネット内に離脱不能に取り付けられている。このように、主制御基板については、収容されるケースの脱着や開放を困難にすることで、不正ＲＯＭ交換等の不正操作の防止が図られている。
【０００５】
また、主制御基板やメダル払出装置等に対する外部からの不正操作を防止するため、例えば特許文献１には、キャビネットと前扉との間に透明な遮蔽手段を施錠して設けたスロットマシンの筐体構造が開示されている。
【０００６】
【特許文献１】特開２００３−１１７０５５号公報（特許第３４３６２６５号）
【発明の開示】
【発明が解決しようとする課題】
【０００７】
ところで、近年では、ドリル等を用いて遊技機の筐体に穴を開け、内部に挿入させた針金等で信号配線を不正にショートさせたり、施錠機構をピッキングして前扉を不正に開放したりするゴト（不正行為）が問題化している。しかし、特許文献１に記載の筐体構造によれば、上述の遮蔽手段はキャビネットの開口側を遮蔽する構造であるため、遊技店舗（例えばパチンコホール）の遊技フロアに構築される遊技島の台座部分（ここでは「島設置台」という）から露出する例えばキャビネットの側板部分からの不正なアクセスや侵入に対しては無防備であった。
【０００８】
本発明は、こうした従来の問題に鑑みてなされたものであり、筐体の側方からドリル等を用いた不正な穴開けなどを困難にして、メダルの不正な払い出しやピッキング等の不正行為を効果的に防止することができる等の遊技機を提供することを目的としている。
【課題を解決するための手段】
【０００９】
上述した課題を解決するための本発明の有効な手段を以下説明する。
【００１０】
前方側に開口を有する矩形状のキャビネット（２）と、該キャビネットに対し開閉可能であり前記開口を閉塞する位置に施錠される前扉（３）とを備えた遊技機（例えばスロットマシン１）であって、前記前扉と接する前記キャビネットの開口端から後方側にかけて板金部材からなる所定幅の遮蔽手段（例えば板金プレート枠１００）を設けたことを特徴とする（請求項１）。
この特徴を備えた遊技機によれば、仮に不正行為者が例えばドリルを使用してキャビネットの側方から不正に穴を開けようとしても、遮蔽手段で阻まれて穴を貫通させることは困難となる。したがって、ピッキングや不正にメダルを取得するような行為を防止することができる。
【００１１】
また、前記遮蔽手段は、前記キャビネットの本体枠の外側面に対し同一面上に固定される外プレート部材（例えば外プレート１１１）と、該外プレート部材に対し当該本体枠の厚み相当だけ間隔をおいて互いに対向する内プレート部材（例えば内プレート１０１）とを備えてなり、前記外プレート部材及び前記内プレート部材の相互の面が重なり合って接合する肉厚の接合部（例えば遮蔽壁部１０１ａと当接部１１１ｃ）を有していることを特徴とする（請求項２）。
この手段によれば、外プレート部材と内プレート部材とが相互に対向する２重壁構造の遮蔽手段により、仮に不正行為者が例えばドリルを使用してキャビネットの側方から不正に穴を開けようとしても貫通させることは困難となる。したがって、ピッキングや不正にメダルを取得するような行為を防止することができる。また、外プレート部材及び内プレート部材の相互の面が重なる肉厚の接合部を形成したので、遮蔽手段の機械的強度が増し、前扉と接する隙間部分をこじ開ける等の強硬な不正行為をも防止する。
【００１２】
また、前記接合部は、前記開口端において前記外プレート部材又は前記内プレート部材の何れか一方の先端部分が折り返されて他方に重なることで形成されていることを特徴とする（請求項３）。
この手段によれば、遮蔽手段の機械的強度が増し、前扉と接する隙間部分のこじ開け等の強硬な不正行為を防止する。
【００１３】
また、前記遮蔽手段の所定幅は、当該遊技機が設置される島設置台から前方に露出する幅よりも大きいことを特徴とする（請求項４）。
この手段によれば、遊技機本体が島設置台に設置された状態では、島設置台から露出する部分を遮蔽手段が遮蔽する。これにより、遊技店舗において遊技機の側方からドリル等で穴が開けるような不正なアクセスを効果的に防ぐ。
【発明の効果】
【００１４】
上述したように本発明の遊技機によれば、前扉と接するキャビネットの開口端に板金部材からなる遮蔽手段を設けたことにより、仮に不正行為者が例えばドリルを使用してキャビネットの側方から不正に穴を開けようとしても貫通させることは困難となる。したがって、ピッキングや不正にメダルを取得するような行為を効果的に防止することができる。また、遮蔽手段を構成する外プレート部材及び内プレート部材の相互の面が重なる肉厚の接合部を形成したので、遮蔽手段の機械的強度が増し、前扉と接する隙間部分をこじ開ける等の強硬な不正行為をも防止することができる。
【発明を実施するための最良の形態】
【００１５】
以下、本発明に係る遊技機の好適な実施形態としてスロットマシンを例に図面を参照して説明する。ここで、図１は、本発明の一つの実施形態によるスロットマシン１の外観構造を表した斜視図である。
【００１６】
まず、図１を参照しながら、スロットマシン１の基本的な構成を説明する。スロットマシン１は、前面側に開口を有する矩形箱状のキャビネット２と、当該キャビネット２に開閉可能に取り付けられる前扉３とからなる筐体を備えている。通常時においては、前扉３がキャビネット２に対しその開口を閉塞した状態で施錠されている。
【００１７】
前扉３の前面側には、遊技者に面する化粧板としてのいわゆるフロントマスクが形成されている。フロントマスクの上段部には、ゲームのキャラクター等のアニメーション画像を表示して、内部当たりの告知や入賞を演出するための液晶表示装置７が配設されている。また、ゲームの進行に応じて点灯及び点滅する光により演出する上部ランプ５ａ及びコーナーランプ５ｂ、５ｃと、スピーカを内蔵し楽音や効果音によりゲームを演出する放音部６ａ、６ｂとが配設されている。
【００１８】
フロントマスクの中段部には、平坦な樹脂板からなる中パネル８が設けられ、中パネル８の中央に形成された四角形の透明領域である表示窓８ａを介して、キャビネット２内部の３個のリール１０ａ、１０ｂ、１０ｃが目視される。なお、各リール１０ａ、１０ｂ、１０ｃはそれぞれ独立して回転可能であり、それぞれの外周面に描かれた縦３個、横３列の図柄（図示略）が、表示窓８ａを介して変動表示されるようになっている。
【００１９】
中パネル８の下方には、前方に若干突出する卓状の操作卓が形成されている。この操作卓には、ゲームに賭けるメダルを投入するためのメダル投入部１１と、ゲーム開始を指示するベットボタン１２と、リール１０ａ、１０ｂ、１０ｃの回転開始を指示するスタートレバー１３と、各リール１０ａ、１０ｂ、１０ｃの回転停止を指示するストップボタン１４ａ、１４ｂ、１４ｃ等がそれぞれ所定の位置に配設されている。また、操作卓に向かってその右側端部には、前扉３を解錠操作するため鍵が挿入される鍵穴９が形成されている。
【００２０】
フロントマスクの下方部には、スロットマシン１のモデルタイプ等を遊技者へ認識させるための、例えば登場キャラクターの絵柄（図示略）などが印刷された略四角形のプラスチック板である下パネル１５が取り付けられている。
【００２１】
フロントマスクの最下部には、入賞等の際にメダルを払い出すメダル払出口１６と、メダル払出口１６から払い出されたメダルを貯留するための受け皿４ａとが形成された受け皿部材４が取り付けられている。また、受け皿部材４には、ゲームの演出効果音を発生させるスピーカを内蔵する放音部１７ａ、１７ｂがそれぞれ左右位置に形成されている。
【００２２】
かかるスロットマシン１は、キャビネット２内に設置されている後述の主制御基板２１によりゲーム動作が制御される。すなわち、スロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板２１は、リール１０ａ、１０ｂ、１０ｃを一斉に回転させると同時に、表示窓８ａに設定される有効ラインに引き込み停止制御可能な図柄の組み合せ、すなわち入賞を内部抽選する。
【００２３】
この内部抽選により何れかの入賞を当選したとき、その結果が主制御基板２１のＲＡＭの所定記憶領域に設定される内部当選フラグにセットされる。なお、この内部当選フラグがセットされ入賞が内定している状態を「内部当選状態」という。
【００２４】
次に、主制御基板２１は、ストップボタン１４ａ、１４ｂ、１４ｃが押圧操作されるに応じて対応するリールを順に停止させる。そして、主制御基板２１は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、主制御基板２１は後述するメダル払出装置２４を作動させ、クレジットの上限を超える枚数分のメダルをメダル払出口１６より受け皿４ａへ払い出している。
【００２５】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００２６】
次に、かかるスロットマシン１において、内部機器への不正操作、ピッキング、こじ開け等の不正行為を防止する対策が講じられた筐体内部の構造を更に詳細に説明する。ここで、図２は前扉３を開いた状態での筐体内部の構造を表した斜視図である。
【００２７】
まず、上述したようにキャビネット２は、前面側に開口を有する合成木板からなる矩形の箱体として形成されている。キャビネット２の開口端から後方側にかけては、遮蔽手段としての板金プレート枠１００が設けられている。
【００２８】
キャビネット２内の上部位置には、スロットマシン１の全体を統括制御するマイコンベースの主制御基板２１が、互いに対向する透明なケース部材に収容されて設けられている。主制御基板２１を収容するこのケース部材は、カシメと呼ばれる特殊な封止手段を介して閉塞され、キャビネット２の背板の内側面に離脱不能に固定されている。
【００２９】
また、キャビネット２内のほぼ中央には、３個のリール１０ａ、１０ｂ、１０ｃを軸方向に並設してユニット化したリール装置１０が、表示窓８ａに対向して所定のフレーム２３に固定されている。なお、リール装置１０の天板部には回胴装置基板２２が取り付けられ、主制御基板２１からの駆動パルス信号を中継し電流増幅して各リール１０ａ、１０ｂ、１０ｃに直結するステッピングモータに出力している。これにより、リール１０ａ、１０ｂ、１０ｃの回転及び停止の動作が主制御基板２１により制御される。
【００３０】
リール装置１０の下方には、メダル払出装置２４が設置されている。メダル払出装置２４は、複数枚のメダルを貯留可能な概略椀状のホッパー部２４１と、ホッパー部２４１の下方に連結する払出機構部２４２等を備えている。払出機構部２４２の板金ケース内には、ホッパー部２４１に貯留したメダルを保持する穴が円周に沿って形成された図示しない払出プレートが備えられている。メダル払出装置２４は、払出プレートを回転させることで、保持したメダルをスリット２４ａから付勢して外部に放出し、これにより受け皿４ａにメダルを払い出すようにしている。
また、メダル払出装置２４に隣接して、スロットマシン１に内蔵される各機器へ所要の電力を配電する電源装置２５が設置されている。
【００３１】
次に、前扉３の裏面側構造を説明する。なお、本実施形態の前扉３は、比較的硬質のプラスチックで上述のフロントマスクが一体形成された前面枠３０１と、前面枠３０１の内側面に近接してネジ３１８で固定される板金製の中枠３１０とを有している。
【００３２】
中枠３１０は、それぞれ長尺の横フレーム３１１及び縦フレーム３１２、３１３に遮蔽板３１５を面要素として取り入れた、いわゆるパネル構造を有して板金加工により形成されている。中枠３１０が前面枠３０１の内側面に固定されることにより前扉３の機械的な剛性が強化され、不正に外力が加えられても全体の撓みが小さく抑えられる。これにより、前扉３のこじ開けやピッキング等の不正行為を困難にしている。
【００３３】
中枠３１０の右側の縦フレーム３１３には、ヒンジ機構である開閉支持機構４１、４２の一端側が取り付けられる。開閉支持機構４１、４２の各他端側は、キャビネット２の開口端部に固定され、これにより、前扉３がキャビネット２に対して回動開閉可能に支持される。
【００３４】
また、左側の縦フレーム３１２の裏面側には施錠機構３２０が構成されている。施錠機構３２０は、前扉３をキャビネット２側に閉じると自動的にこれらを施錠する。また、施錠機構３２０は、鍵穴９に挿入された所定の鍵で解錠操作されると、施錠状態を解除して前扉３の開放を許すようにしている。
【００３５】
前扉３の裏面側上部、つまり液晶表示装置７（図１参照）の裏面側にあたる位置には、画像制御基板３２と、当該画像制御基板３２の後方にサブ制御基板３１とが、それぞれ透明なケース部材に収容されて設けられている。また、前面側の上部ランプ５ａやコーナーランプ５ｂ、５ｃ等の光源（発光ダイオード）基板や、放音部６ａ、６ｂに対向するスピーカ６１ａ、６１ｂがそれぞれ所定位置に取り付けられている。
【００３６】
なお、サブ制御基板３１は、主制御基板２１の制御下で、ゲームの進行に応じて上述の画像制御基板３２に演出画像データを出力し、画像制御基板３２がこれに基づきビデオ信号に変換して液晶表示装置７に演出映像を表示させる演出画像表示制御を行っている。また、サブ制御基板３１は、ゲームの進行に応じて上部ランプ５ａやコーナーランプ５ｂ、５ｃ等を点灯・点滅させるとともに、スピーカ６１ａ、６１ｂ等に効果音や楽音等を鳴動させる等の光や音によるゲームの演出制御も行っている。
【００３７】
前扉３の裏面側で上述の表示窓８ａの周囲左右位置には、点灯することにより前面側の絵柄を明るく表示して、種々の遊技情報を告知する複数個の白熱ランプ３４、３５が取り付けられている。また、表示窓８ａの上方位置には、リール１０ａ、１０ｂ、１０ｃの図柄を照明するための冷陰極蛍光管を備えた蛍光灯ユニット３７が配置され、表示窓８ａの下方位置には、前面側のベットボタン１２、スタートレバー１３、ストップボタン１４ａ、１４ｂ、１４ｃ（ストップボタンユニット１４）等の操作スイッチ類の出力信号を主制御基板２１へ転送する中継基板である中央表示基板３６が配置されている。
【００３８】
メダル投入部１１（図１参照）の下方側にあたる位置には、遊技媒体選別装置としてのメダルセレクタ３８が遮蔽板３１５の前面に取り付けられ、メダルセレクタ３８の後部が遮蔽板３１５を貫通して後方に突出している。メダルセレクタ３８は、メダル投入部１１に投入されたメダルが正規のものであると判定すると、メダルガイド部３８１側にメダルを通過させるとともに、光センサである内部のメダルセンサがメダルを検出して、主制御基板２１へその投入信号を出力する。なお、メダルガイド部３８１は、メダルセレクタ３８が正規のものと選別したメダルをメダル払出装置２４のホッパー部２４１に案内して貯留させる。
【００３９】
メダルセレクタ３８の下方には、キャンセルシュート３９１及び払出シュート３９２がプラスチックで一体成形された中空のシュート部材３９が、遮蔽板３１５の裏面に取り付けられている。キャンセルシュート３９１は、メダルセレクタ３８の後部３８ａの下方に位置し、メダルセレクタ３８が排除し落下させた不適なメダル等をメダル払出口１６に案内する。一方、払出シュート３９２の背面には、メダル払出装置２４のスリット２４ａと位置整合するメダル受容口３９２ａが開口形成されている。すなわち、メダル払出装置２４は、スリット２４ａに対向するメダル受容口３９２ａを通して払出シュート３９２内にメダルを放出し、放出されたメダルが払出シュート３９２内の中空の通路に導かれて前面側のメダル払出口１６から受け皿４ａに払い出されるようになっている。
【００４０】
また、遮蔽板３１５の裏面には、下パネル１５を照明する蛍光灯を駆動するためのインバータ１５２が設けられている。また、放音部１７ａ、１７ｂ（図１参照）に対向する位置にスピーカ１７１ａ、１７１ｂがその振動板を前面に臨ませて取り付けられている。
【００４１】
次に、図３〜図６を参照して、キャビネット２の開口端に沿って設けられる遮蔽手段としての板金プレート枠１００の実施例をいくつか説明する。なお、図３は、メダル払出装置２４の上方位置のある水平面でキャビネット２を切断した場合の横断面図である。また、図４〜図６は、図３中の矢印Ａで示される円内の板金プレート枠１００について個々の実施例をそれぞれ表した断面図である。
【００４２】
図３に示されるように、板金プレート枠１００は、キャビネット２の前方側の開口端から後方側に所定幅Ｗを有して形成されている。なお、板金プレート枠１００の幅Ｗは、スロットマシン１が設置される図示していない島設置台の前方端部から露出するキャビネット部分の幅よりも大きいことが望ましい。そうすることで、スロットマシン１が遊技店舗の島設置台に設置された状態では、島設置台から露出するキャビネット２の側面部分を板金プレート枠１００が遮蔽するため、スロットマシン１に対する側方からの例えばドリルで穴を開けるような不正なアクセスを有効に防ぐことができる。
【実施例１】
【００４３】
具体的に、板金プレート枠１００は、例えば図４に表される断面構造を有している。この実施例によれば、板金プレート枠１００は、それぞれ板金部材からなる内プレート１０１及び外プレート１１１が接合されて形成される。なお、他方の側板２ａの開口端側にも同一構造の板金プレート枠１００が設置されている。
【００４４】
内プレート１０１及び外プレート１１１の基端側は、側板２ｂの開口端部（前端部）の内側面に予め切削形成される溝２ｂａに嵌合した後、適宜の箇所に貫通する孔に挿入される複数のリベット１２０を介して、内プレート１０１及び外プレート１１１の双方が側板２ｂ（キャビネット２の本体枠）の開口端部に固定されている。
【００４５】
内プレート１０１は、側板２ｂの前端部から更に前方に延びる平坦な遮蔽壁部１０１ａを有しており、この遮蔽壁部１０１ａは、側板２ｂの内側面とほぼ同一面に配置されている。そして、側板２ｂの前端部から所定幅Ｗの位置で若干外方に屈曲してなる段部１０１ｂと、段部１０１ｂから更に前方にＬ字状に屈曲して延びる嵌入部１０１ｃとが形成されている。なお、嵌入部１０１ｃは、前扉３がキャビネット２側に閉じたときに、前面枠３０１の内側に嵌入するように形成されている。
【００４６】
外プレート１１１は、側板２ｂの前端部から外方に折れ、側板２ｂの外側面と同一面をなす位置で前方に折れる平坦な遮蔽壁部１１１ａを有している。すなわち、外プレート１１１の遮蔽壁部１１１ａと内プレート１０１の遮蔽壁部１０１ａとは、互いに側板２ｂの厚み相当分の間隔を有して相対向して配置されている。
【００４７】
また、外プレート１１１は、側板２ｂの前端部から所定幅Ｗの位置で内プレート１０１に向けてＬ字状に屈曲してなる前面部１１１ｂと、前面部１１１ｂから更にＵ字状に折り返されてなる当接部１１１ｃが形成されている。すなわち、本実施例の板金プレート枠１００は、外プレート１１１の前端部分が折り返された当接部１１１ｃが内プレート１０１の遮蔽壁部１０１ａの一部に対し内部で当接して重なり、当接部１１１ｃの適宜の箇所に形成した複数の溶接部１１１ｄを遮蔽壁部１０１ａの孔に貫通させた後にこれらの部分を溶接して接合することで、全体が形成されている。
【００４８】
この実施例の板金プレート枠１００によれば、互いに対向する外プレート１１１と内プレート１０１を有する２重壁の構造を備えており、特に側方からドリル等を用いた不正行為を困難にすることができる。また、内プレート１０１の遮蔽壁部１０１ａの一部に外プレート１１１の当接部１１１ｃが折り返されて重なる肉厚の接合部を形成することで、板金プレート枠１００の開口端部の機械的強度を増している。これにより、外力に対する変形量を極力抑え、こじ開けなどの不正をも効果的に防止する。なお、図では示していないが、板金プレート枠１００をキャビネット２の開口上端部及び開口下端部に設けて環状に形成してもよい。
【実施例２】
【００４９】
次に、図５を参照して、板金プレート枠１００の他の実施例を説明する。この実施例によれば、板金プレート枠１００は、それぞれ板金部材からなる内プレート１０２及び外プレート１１２が接合されて形成される。なお、他方の側板２ａの開口端側にも同一構造の板金プレート枠１００が設置されている。また、板金プレート枠１００をキャビネット２の開口上端部及び開口下端部に設けてもよい。
【００５０】
内プレート１０２及び外プレート１１２の基端側は、側板２ｂの開口端部（前端部）の内側面に予め切削形成される溝２ｂａに嵌合した後、適宜の箇所に貫通する孔に挿入される複数のリベット１２０を介して、内プレート１０２及び外プレート１１２の双方が側板２ｂ（キャビネット２の本体枠）の開口端部に固定されている。
【００５１】
内プレート１０２は、側板２ｂの前端部から更に前方に延びる平坦な遮蔽壁部１０２ａを有しており、この遮蔽壁部１０２ａは、側板２ｂの内側面とほぼ同一面に配置されている。そして、側板２ｂの前端部から所定幅Ｗの位置で若干外方に屈曲してなる段部１０２ｂと、段部１０２ｂから更に前方にＬ字状に屈曲して延びる嵌入部１０２ｃとが形成されている。なお、嵌入部１０２ｃは、後述の当接部１１２ｃに溶接接合され、前扉３がキャビネット２側に閉じたときに前面枠３０１の内側に嵌入するように形成されている。
【００５２】
外プレート１１２は、側板２ｂの前端部から外方に折れ、側板２ｂの外側面と同一面をなす位置で前方に折れる平坦な遮蔽壁部１１２ａを有している。すなわち、外プレート１１２の遮蔽壁部１１２ａと内プレート１０２の遮蔽壁部１０２ａとは、互いに側板２ｂの厚み相当分の間隔を有して相対向して配置されている。
【００５３】
また、外プレート１１２は、側板２ｂの前端部から所定幅Ｗの位置で内プレート１０２に向けてＬ字状に屈曲してなる段部１１２ｂと、段部１１２ｂから更にＬ状に屈曲し前方に延びる当接部１１２ｃとが形成されている。すなわち、本実施例の板金プレート枠１００は、外プレート１１２の前端部分がＬ字状に屈曲した当接部１１２ｃが内プレート１０２の嵌入部１０２ｃに当接して重なり、当接部１１２ｃの適宜の箇所に形成した複数の溶接部１１２ｄを嵌入部１０２ｃの孔に貫通させた後にこれらの部分を溶接して接合することで、全体が形成されている。
【００５４】
この実施例の板金プレート枠１００によれば、互いに対向する外プレート１１２と内プレート１０２を有する２重壁の構造を備えており、特に側方からドリル等を用いた不正行為を困難にすることができる。また、内プレート１０２の嵌入部１０２ｃに外プレート１１２の当接部１１２ｃが当接して重なる肉厚の接合部を形成することで、板金プレート枠１００の開口端部の機械的強度を増している。これにより、外力に対する変形量を極力抑え、こじ開けなどの不正をも効果的に防止する。
【実施例３】
【００５５】
次に、図６を参照して、板金プレート枠１００の更に他の実施例を説明する。この実施例によれば、板金プレート枠１００は、それぞれ板金部材からなる内プレート１０３及び外プレート１１３が接合されて形成される。なお、他方の側板２ａの開口端側にも同一構造の板金プレート枠１００が設置されている。また、板金プレート枠１００をキャビネット２の開口上端部及び開口下端部に設けてもよい。
【００５６】
内プレート１０３及び外プレート１１３の基端側は、側板２ｂの開口端部（前端部）の内側面に予め切削形成される溝２ｂａに嵌合した後、適宜の箇所に貫通する孔に挿入される複数のリベット１２０を介して、内プレート１０３及び外プレート１１３の双方が側板２ｂ（キャビネット２の本体枠）の開口端部に固定されている。
【００５７】
外プレート１１３は、側板２ｂの前端部から外方に折れ、側板２ｂの外側面と同一面をなす位置で前方に折れる平坦な遮蔽壁部１１３ａを有している。また、外プレート１１３は、側板２ｂの前端部から所定幅Ｗの位置で内方に向けてＬ字状に屈曲してなる段部１１３ｂと、段部１１３ｂから更にＬ状に屈曲し前方に延びる嵌入部１１３ｃが形成されている。なお、嵌入部１１３ｃは、前扉３がキャビネット２側に閉じたときに、前面枠３０１の内側に嵌入するように形成されている。
【００５８】
内プレート１０３は、側板２ｂの前端部から更に前方に延びる平坦な遮蔽壁部１０３ａを有しており、この遮蔽壁部１０３ａは、側板２ｂの内側面とほぼ同一面に配置されている。すなわち、外プレート１１３の遮蔽壁部１１３ａと内プレート１０３の遮蔽壁部１０３ａとは、互いに側板２ｂの厚み相当分の間隔を有して相対向して配置されている。
【００５９】
そして、側板２ｂの前端部から所定幅Ｗよりも後方の位置で外方にＬ字状に屈曲してなる段部１０３ｂと、段部１０３ｂから更に前方に屈曲する当接部１０３ｃとが形成されている。すなわち、本実施例の板金プレート枠１００は、内プレート１０３の前端部分がＬ字状に屈曲した当接部１０３ｃが外プレート１１３の遮蔽壁部１１３ａの一部に当接して重なり、遮蔽壁部１１３ａの適宜の箇所に形成した複数の溶接部１１３ｄを当接部１０３ｃの孔に貫通させた後にこれらの部分を溶接して接合することで、全体が形成されている。
【００６０】
この実施例の板金プレート枠１００によれば、互いに対向する外プレート１１３と内プレート１０３を有する２重壁の構造を備えており、特に側方からドリル等を用いた不正行為を困難にすることができる。また、外プレート１１３の遮蔽壁部１１３ａの一部に内プレート１０３の当接部１０３ｃが当接して重なる肉厚の接合部を形成することで、板金プレート枠１００の開口端部の機械的強度を増している。これにより、外力に対する変形量を極力抑え、こじ開けなどの不正をも効果的に防止する。
【００６１】
以上説明した不正対策が施された筐体構造を備える本実施形態のスロットマシン１によれば、前扉３が閉塞されるキャビネット２の開口端部の周囲に外プレート１１３と内プレート１０３とからなる板金プレート枠１００を固定した。少なくとも島設置台から露出する部分に２重壁構造の板金プレート枠１００を設けることで、ドリル等でキャビネット２の側板に穴を開けるような不正行為を困難にすることができる。これにより、キャビネット２の内部に侵入させた針金等を使った例えば信号配線のショート、施錠装置３２０へのピッキング、メダル払出装置２４等の内部機器への不正操作等の不正行為を効果的に防止することができる。また、板金プレート枠１００の前端部において外プレート１１３と内プレート１０３の先端部同士を重ね合わせて溶接した肉厚の接合部を形成したため、板金プレート枠１００の機械的強度が増し、隙間部分のこじ開けなどの不正をも効果的に防止することができる。
【産業上の利用可能性】
【００６２】
本発明は、スロットマシンに限らず、筐体構造を備える一般的な遊技機においても広く応用され得る。
【図面の簡単な説明】
【００６３】
【図１】本発明の一実施形態によるスロットマシンの外観構造を表した斜視図である。
【図２】図１のスロットマシンにおいて前扉を開いた状態での筐体内部の構造を表した斜視図である。
【図３】図１のスロットマシンの横断面図である。
【図４】スロットマシンのキャビネットに設けられる板金プレート枠の一つの実施例を表した断面図である。
【図５】スロットマシンのキャビネットに設けられる板金プレート枠の他の実施例を表した断面図である。
【図６】スロットマシンのキャビネットに設けられる板金プレート枠の更に他の実施例を表した断面図である。
【符号の説明】
【００６４】
１…スロットマシン
２…キャビネット                          ３…前扉
４…受け皿部材                            ４ａ…受け皿
５ａ…上部ランプ                          ５ｂ、５ｃ…コーナーランプ
６ａ、６ｂ…放音部                        ７…液晶表示装置
８…中パネル                              ８ａ…表示窓
１０…リール装置                          １０ａ、１０ｂ、１０ｃ…リール
１１…メダル投入部                        １２…ベットボタン
１３…スタートレバー                      １４ａ、１４ｂ、１４ｃ…ストップボタン
１５…下パネル                            １６…メダル払出口
１７ａ、１７ｂ…放音部                    ２１…主制御基板
２２…回胴装置基板                        ２３…フレーム
２４…メダル払出装置                      ２４ａ…スリット
２５…電源装置                            ３１…サブ制御基板
３２…画像制御基板                        ３４、３５…白熱ランプ
３６…中央表示基板                        ３７…蛍光灯ユニット
３８…メダルセレクタ                      ３９…シュート部材
４１、４２…開閉支持機構                  ６１ａ、６１ｂ…スピーカ
１００…板金プレート枠
１０１…内プレート                        １０１ａ…遮蔽壁部
１０１ｂ…段部                            １０１ｃ…嵌入部
１０２…内プレート                        １０２ａ…遮蔽壁部
１０２ｂ…段部                            １０２ｃ…嵌入部
１０３…内プレート                        １０３ａ…遮蔽壁部
１０３ｂ…段部                            １０３ｃ…当接部
１１１…外プレート                        １１１ａ…遮蔽壁部
１１１ｂ…前面部                          １１１ｃ…当接部
１１１ｄ…溶接部
１１２…外プレート                        １１２ａ…遮蔽壁部
１１２ｂ…段部                            １１２ｃ…当接部
１１２ｄ…溶接部
１１３…外プレート                        １１３ａ…遮蔽壁部
１１３ｂ…段部                            １１３ｃ…嵌入部
１１３ｄ…溶接部
１２０…リベット
１５２…インバータ                        １７１ａ、１７１ｂ…スピーカ
２４１…ホッパー部                        ２４２…払出機構部
３０１…前面枠                            ３１０…中枠
３１１…横フレーム                        ３１２、３１３…縦フレーム
３１５…遮蔽板                            ３１８…ネジ
３２０…施錠機構                          ３８１…メダルガイド部
３９１…キャンセルシュート                ３９２…払出シュート
【図１】
2008237348.tif 000003
【図２】
2008237348.tif 000004
【図３】
2008237348.tif 000005
【図４】
2008237348.tif 000006
【図５】
2008237348.tif 000007
【図６】
2008237348.tif 000008